【手続補正書】
【提出日】平成17年12月12日(2005.12.12)
【手続補正１】
【補正対象書類名】明細書
【補正対象項目名】特許請求の範囲
【補正方法】変更
【補正の内容】
【特許請求の範囲】
【請求項１】  入力された第１の画像情報を、動き補償を用いて符号化する符号化装置において、
入力された前記第１の画像情報に対応するサーチ画像情報を用いて、前記第１の画像情報の動き補償を行う動き補償手段と、
前記動き補償手段により前記動き補償が行われた前記第１の画像情報を符号化する符号化手段と、
前記サーチ画像情報を生成するための第２の画像情報を生成する第１の生成手段と、
前記第１の生成手段により生成された前記第２の画像情報を記憶する第１の記憶手段と、
前記第１の記憶手段により記憶されている前記第２の画像情報を取得する第１の取得手段と、
前記第１の記憶手段より高速に動作し、前記第１の取得手段により取得された前記第２の画像情報を記憶する第２の記憶手段と、
前記第２の記憶手段により記憶されている前記第２の画像情報を取得する第２の取得手段と、
前記第１の取得手段または前記第２の取得手段により取得された前記第２の画像情報を用いて前記サーチ画像情報を生成する第２の生成手段と、
前記第２の生成手段による前記サーチ画像情報の生成に必要な前記第２の画像情報を、前記第１の記憶手段および前記第２の記憶手段より検索する検索手段と
を備え、
前記第２の取得手段は、前記検索手段による検索結果に基づいて、前記第２の画像情報が前記第２の記憶手段により記憶されている場合、前記第２の記憶手段より前記第２の画像情報を取得し、
前記第１の取得手段は、前記検索手段による検索結果に基づいて、前記第２の画像情報が前記第２の記憶手段により記憶されておらず、前記第１の記憶手段により記憶されている場合、前記第１の記憶手段より前記第２の画像情報を取得する
ことを特徴とする符号化装置。
【請求項２】  前記動き補償手段は、前記第２の生成手段により生成された前記サーチ画像情報を用いて、前記第１の画像情報の動き補償を行う
ことを特徴とする請求項１に記載の符号化装置。
【請求項３】  入力された前記第１の画像情報に付加されている付加情報に基づいて、注目領域の動き補償用ベクトルを算出する算出手段をさらに備え、
前記算出手段は、前記第２の生成手段により生成された前記サーチ画像情報を用いて、前記動き補償用ベクトルを算出する
ことを特徴とする請求項１に記載の符号化装置。
【請求項４】  前記符号化手段は、前記第１の画像情報を直行変換し、量子化処理を施したデータを符号化する
ことを特徴とする請求項１に記載の符号化装置。
【請求項５】  前記第１の生成手段は、前記第１の画像情報を直行変換し、量子化処理を施したデータに、逆量子化処理を施し、逆直行変換処理を行って、前記第２の画像情報を生成する
ことを特徴とする請求項１に記載の符号化装置。
【請求項６】  前記第１の記憶手段は、前記第２の記憶手段と比較して、大容量の情報を記憶することができる
ことを特徴とする請求項１に記載の符号化装置。
【請求項７】  前記第１の取得手段は、前記第２の取得手段と比較して、低速で前記第２の画像情報を取得する
ことを特徴とする請求項１に記載の符号化装置。
【請求項８】  前記第１の取得手段により取得された前記第２の画像情報を圧縮する圧縮手段と、
前記圧縮手段により圧縮された前記第２の画像情報を伸張する伸張手段と
をさらに備え、
前記第２の記憶手段は、前記圧縮手段により圧縮された前記第２の画像情報を記憶し、
前記伸張手段は、前記第２の取得手段により前記第２の記憶手段より取得された、前記圧縮手段により圧縮された前記第２の画像情報を伸張する
ことを特徴とする請求項１に記載の符号化装置。
【請求項９】  前記動き補償手段と、
前記符号化手段と、
前記第１の生成手段と
をそれぞれ複数備え、
複数の前記動き補償手段は、並列に動作し、互いに異なる前記サーチ画像情報を用いて、互いに異なる前記第１の画像情報の動き補償を行い、
複数の前記符号化手段は、並列に動作し、複数の前記動き補償手段により前記動き補償が行われた、互いに異なる複数の前記第１の画像情報を符号化し、
複数の前記第１の生成手段は、それぞれ対応する前記動き補償手段により用いられる前記サーチ画像情報を生成するための第２の画像情報を生成し、
前記第１の記憶手段は、複数の前記第１の生成手段により生成された前記第２の画像情報を記憶し、
前記第２の生成手段は、前記第２の画像情報を用いて、複数の前記動き補償手段により用いられる前記サーチ画像情報を生成する
ことを特徴とする請求項１に記載の符号化装置。
【請求項１０】  前記第１の取得手段により取得された前記第２の画像情報を圧縮する圧縮手段と、
前記圧縮手段により圧縮された前記第２の画像情報を伸張する伸張手段と
をさらに備え、
前記第２の記憶手段は、前記圧縮手段により圧縮された前記第２の画像情報を記憶し、
前記伸張手段は、前記第２の取得手段により前記第２の記憶手段より取得された、前記圧縮手段により圧縮された前記第２の画像情報を伸張する
ことを特徴とする請求項９に記載の符号化装置。
【請求項１１】  入力された第１の画像情報の動き補償に用いられるサーチ画像情報を生成するための第２の画像情報を記憶する第１の記憶部と、前記第１の記憶部より転送速度が高速な第２の記憶部を有し、前記第１の画像情報を、動き補償を用いて符号化する符号化装置の符号化方法であって、
入力された前記第１の画像情報の動き補償に用いられるサーチ画像情報を生成するための第２の画像情報を、前記第１の記憶部および前記第２の記憶部より検索する検索ステップと、
前記検索ステップの処理による検索結果に基づいて、前記第２の記憶部に目的の前記第２の画像情報が記憶されている場合、前記第２の記憶部より目的の前記第２の画像情報を取得し、目的の前記第２の画像情報が前記第２の記憶部により記憶されておらず、前記第１の記憶部に記憶されている場合、前記第１の記憶部より目的の前記第２の画像情報を取得するように制御する取得制御ステップと、
前記取得制御ステップの処理により制御され、目的の前記第２の画像情報が前記第１の記憶部より取得された場合、前記第２の記憶部を制御して、取得された前記第２の画像情報を記憶させる記憶制御ステップと、
前記取得制御ステップの処理により制御され、取得された前記第２の画像情報を用いて前記サーチ画像情報を生成する生成ステップと
を含むことを特徴とする符号化方法。
【請求項１２】  入力された第１の画像情報を、動き補償を用いて符号化する処理を、第１の記憶部と、前記第１の記憶部より転送速度が高速な第２の記憶部を有するコンピュータに行わせるプログラムにおいて、
入力された前記第１の画像情報の動き補償に用いられるサーチ画像情報を生成するための第２の画像情報を、前記第１の記憶部および前記第２の記憶部より検索する検索ステップと、
前記検索ステップの処理による検索結果に基づいて、前記第２の記憶部に目的の前記第２の画像情報が記憶されている場合、前記第２の記憶部より目的の前記第２の画像情報を取得し、目的の前記第２の画像情報が前記第２の記憶部により記憶されておらず、前記第１の記憶部に記憶されている場合、前記第１の記憶部より目的の前記第２の画像情報を取得するように制御する取得制御ステップと、
前記取得制御ステップの処理により制御され、目的の前記第２の画像情報が前記第１の記憶部より取得された場合、前記第２の記憶部を制御して、取得された前記第２の画像情報を記憶させる記憶制御ステップと、
前記取得制御ステップの処理により制御され、取得された前記第２の画像情報を用いて前記サーチ画像情報を生成する生成ステップと
を含むことを特徴とするプログラム。
【請求項１３】  符号化された画像情報であるビットストリームを、動き補償を用いて復号する復号装置において、
入力された前記ビットストリームを復号する復号手段と、
前記復号手段により復号された前記ビットストリームである第１の画像情報の動き補償を、前記第１の画像情報に対応するサーチ画像情報を用いて行う動き補償手段と、
前記動き補償手段により動き補償が行われた前記第１の画像情報である第２の画像情報を記憶する第１の記憶手段と、
前記第１の記憶手段により記憶されている前記第２の画像情報を取得する第１の取得手段と、
前記第１の記憶手段より高速に動作し、前記第１の取得手段により取得された前記第２の画像情報を記憶する第２の記憶手段と、
前記第２の記憶手段により記憶されている前記第２の画像情報を取得する第２の取得手段と、
前記第１の取得手段または前記第２の取得手段により取得された前記第２の画像情報を用いて前記サーチ画像情報を生成する生成手段と、
前記生成手段による前記サーチ画像情報の生成に必要な前記第２の画像情報を、前記第１の記憶手段および前記第２の記憶手段より検索する検索手段と
を備え、
前記第２の取得手段は、前記検索手段による検索結果に基づいて、前記第２の画像情報が前記第２の記憶手段により記憶されている場合、前記第２の記憶手段より前記第２の画像情報を取得し、
前記第１の取得手段は、前記検索手段による検索結果に基づいて、前記第２の画像情報が前記第２の記憶手段により記憶されておらず、前記第１の記憶手段により記憶されている場合、前記第１の記憶手段より前記第２の画像情報を取得する
ことを特徴とする復号装置。
【請求項１４】  前記動き補償手段は、前記生成手段により生成された前記サーチ画像情報を用いて、前記第１の画像情報の動き補償を行う
ことを特徴とする請求項１３に記載の復号装置。
【請求項１５】  前記復号手段は、前記ビットストリームを復号し、逆直行変換し、逆量子化処理を施す
ことを特徴とする請求項１３に記載の復号装置。
【請求項１６】  前記第１の記憶手段は、前記第２の記憶手段と比較して、大容量の情報を記憶することができる
ことを特徴とする請求項１３に記載の復号装置。
【請求項１７】  前記第１の取得手段は、前記第２の取得手段と比較して、低速で前記第２の画像情報を取得する
ことを特徴とする請求項１３に記載の復号装置。
【請求項１８】  前記第１の取得手段により取得された前記第２の画像情報を圧縮する圧縮手段と、
前記圧縮手段により圧縮された前記第２の画像情報を伸張する伸張手段と
をさらに備え、
前記第２の記憶手段は、前記圧縮手段により圧縮された前記第２の画像情報を記憶し、
前記伸張手段は、前記第２の取得手段により前記第２の記憶手段より取得された、前記圧縮手段により圧縮された前記第２の画像情報を伸張する
ことを特徴とする請求項１３に記載の復号装置。
【請求項１９】  前記復号手段と、
前記動き補償手段と
をそれぞれ複数備え、
複数の前記復号手段は、並列に動作し、互いに異なる複数の前記ビットストリームを復号し、
複数の前記動き補償手段は、並列に動作し、互いに異なる前記サーチ画像情報を用いて、互いに異なる前記第１の画像情報の動き補償を行い、
前記第１の記憶手段は、複数の前記動き補償手段により動き補償が行われた前記第２の画像情報を記憶し、
前記生成手段は、前記第２の画像情報を用いて、複数の前記動き補償手段により用いられる前記サーチ画像情報を生成する
ことを特徴とする請求項１３に記載の復号装置。
【請求項２０】  前記第１の取得手段により取得された前記第２の画像情報を圧縮する圧縮手段と、
前記圧縮手段により圧縮された前記第２の画像情報を伸張する伸張手段と
をさらに備え、
前記第２の記憶手段は、前記圧縮手段により圧縮された前記第２の画像情報を記憶し、
前記伸張手段は、前記第２の取得手段により前記第２の記憶手段より取得された、前記圧縮手段により圧縮された前記第２の画像情報を伸張する
ことを特徴とする請求項１９に記載の復号装置。
【請求項２１】  第１の記憶部と、前記第１の記憶部より転送速度が高速な第２の記憶部を有し、符号化された画像情報であるビットストリームを、動き補償を用いて復号する復号装置の復号方法であって、
復号された前記ビットストリームである第１の画像情報に動き補償が行われた第２の画像情報を、前記第１の記憶部および前記第２の記憶部より検索する検索ステップと、
前記検索ステップの処理による検索結果に基づいて、前記第２の記憶部に目的の前記第２の画像情報が記憶されている場合、前記第２の記憶部より目的の前記第２の画像情報を取得し、目的の前記第２の画像情報が前記第２の記憶部により記憶されておらず、前記第１の記憶部に記憶されている場合、前記第１の記憶部より目的の前記第２の画像情報を取得するように制御する取得制御ステップと、
前記取得制御ステップの処理により制御され、目的の前記第２の画像情報が前記第１の記憶部より取得された場合、前記第２の記憶部を制御して、取得された前記第２の画像情報を記憶させる第２の記憶制御ステップと、
前記取得制御ステップの処理により制御され、取得された前記第２の画像情報を用いて、前記第１の画像情報の動き補償に用いられるサーチ画像データを生成する生成ステップと
を含むことを特徴とする復号方法。
【請求項２２】  符号化された画像情報であるビットストリームを、動き補償を用いて復号する処理を、第１の記憶部と、前記第１の記憶部より転送速度が高速な第２の記憶部を有するコンピュータに行わせるプログラムにおいて、
復号された前記ビットストリームである第１の画像情報に動き補償が行われた第２の画像情報を、前記第１の記憶部および前記第２の記憶部より検索する検索ステップと、
前記検索ステップの処理による検索結果に基づいて、前記第２の記憶部に目的の前記第２の画像情報が記憶されている場合、前記第２の記憶部より目的の前記第２の画像情報を取得し、目的の前記第２の画像情報が前記第２の記憶部により記憶されておらず、前記第１の記憶部に記憶されている場合、前記第１の記憶部より目的の前記第２の画像情報を取得するように制御する取得制御ステップと、
前記取得制御ステップの処理により制御され、目的の前記第２の画像情報が前記第１の記憶部より取得された場合、前記第２の記憶部を制御して、取得された前記第２の画像情報を記憶させる第２の記憶制御ステップと、
前記取得制御ステップの処理により制御され、取得された前記第２の画像情報を用いて、前記第１の画像情報の動き補償に用いられるサーチ画像データを生成する生成ステップと
を含むことを特徴とするプログラム。
【手続補正２】
【補正対象書類名】明細書
【補正対象項目名】００３６
【補正方法】変更
【補正の内容】
【００３６】
前記動き補償手段と、符号化手段と、第１の生成手段とをそれぞれ複数備え、複数の動き補償手段は、並列に動作し、互いに異なるサーチ画像情報を用いて、互いに異なる第１の画像情報の動き補償を行い、複数の符号化手段は、並列に動作し、複数の動き補償手段により動き補償が行われた、互いに異なる複数の第１の画像情報を符号化し、複数の第１の生成手段は、それぞれ対応する動き補償手段により用いられるサーチ画像情報を生成するための第２の画像情報を生成し、第１の記憶手段は、複数の第１の生成手段により生成された第２の画像情報を記憶し、第２の生成手段は、第２の画像情報を用いて、複数の動き補償手段により用いられるサーチ画像情報を生成するようにすることができる。
【手続補正３】
【補正対象書類名】明細書
【補正対象項目名】００４６
【補正方法】変更
【補正の内容】
【００４６】
前記復号手段と、動き補償手段とをそれぞれ複数備え、複数の復号手段は、並列に動作し、互いに異なる複数のビットストリームを復号し、複数の動き補償手段は、並列に動作し、互いに異なるサーチ画像情報を用いて、互いに異なる第１の画像情報の動き補償を行い、第１の記憶手段は、複数の動き補償手段により動き補償が行われた第２の画像情報を記憶し、生成手段は、第２の画像情報を用いて、複数の動き補償手段により用いられるサーチ画像情報を生成するようにすることができる。